(57)【要約】  電子回路により制御可能な振動型電気モータまたはリニア・モータにより駆動される小型バッテリ作動式電気装置であって、電気装置が充電状態を確定して表示する回路を特徴付けることが説明されている。一定充電状態が達成されるか上記状態以下に充電が落ちるとき、上記制御回路は、上記モータのノイズが変わるように上記振動型電気モータまたはリニア・モータを動かす。一定充電状態が達成されるか上記状態以下に充電が落ちるとき、上記制御回路は、徐々に低下中の周波数及び／又はパルス幅の制御信号で上記振動型電気モータまたはリニア・モータを動かすことが好ましい。【選択図】  図１
2010500858.tif 000002
【特許請求の範囲】
【請求項１】
電気回路により制御される振動型電気モータまたはリニア・モータにより駆動される小型バッテリ作動式電気装置において、上記小型電気装置が前記バッテリの充電状態を確定して表示する為の回路を特徴付ける、前記装置であって、
前記制御回路は、前記バッテリの一定充電状態が達成されるか前記状態以下に充電が落ちるとき、前記モータのノイズが変わるように前記振動型電気モータまたはリニア・モータを動かすことを特徴とする、前記電気装置。
【請求項２】
前記制御回路は、前記バッテリの一定充電状態が達成されるか前記状態以下に充電が落ちるとき、低下中の周波数の制御信号で前記振動型電気モータまたはリニア・モータを動かすことを特徴とする、請求項１に記載の電気装置。
【請求項３】
前記制御回路は、前記バッテリの一定充電状態が達成されるか前記状態以下に充電が落ちるとき、低下中のパルス・デューティ・ファクタの制御信号で前記振動型電気モータまたはリニア・モータを動かすことを特徴とする、請求項２に記載の電気装置。
【請求項４】
前記制御回路が前記モータのノイズを変える前記バッテリの前記一定充電状態は、前記振動型電気モータまたはリニア・モータが最終的に停止する程度まで前記制御回路が前記制御信号を変えるまで、前記小型電気装置を作動するのに十分な充電を有するように選択されていることを特徴とする、請求項１〜３のいずれか一項に記載の電気装置。
【請求項５】
前記電気装置は、電気カミソリ、電気ヘア・クリッパまたは電動歯ブラシから成ることを特徴とする、請求項１〜４のいずれか一項に記載の電気装置。
【発明の詳細な説明】
【技術分野】
【０００１】
本発明は、充電状態表示器を備えたバッテリ作動式小型電気装置（好ましくは、振動型電気モータやリニア・モータで駆動される電気ヘア・クリッパや電動歯ブラシ）に関する。
【背景技術】
【０００２】
ＥＰ０７１２００７Ｂ１は、充電状態表示器と、充電状態を検出する装置を備えたバッテリ作動式カミソリを開示する。ここで、バッテリは、カミソリが非常に短時間の間だけ作動し続けられる程度まで放電される。この充電状態に達すると、パルス幅変調器はカミソリの直流モータに一定周波数のパルス電圧を供給し、そのパルス・デューティ・ファクタは徐々にゼロに低減され、それに従って、モータ速度も低減される。これにより、ユーザは、モータと、モータにより駆動される切断ツールとが直ぐに停止することを知らされるので、ユーザは、停止される切断ツール内に髭が引っ掛かる前に、髭剃りを直感的に停止する。
【０００３】
同様に、振動型電気モータやリニア・モータにより駆動されるバッテリ動作のカミソリや電動歯ブラシが存在する。これらのモータは、共振周波数を持ち、共振周波数で十分な効率を達成する為に作動される必要がある。バッテリがますます放電されるにつれてバッテリ電圧が降下するとき、これらのモータは、短縮された振幅で、これらの共振周波数で回転し続ける。それゆえに、ユーザは、モータのノイズに基づいて放電バッテリのためモータがすぐに停止することを判断することができない。ユーザは、この急停止を故障として誤って判断するかもしれないが、カミソリの急停止は、カミソリ内で髭が引っ掛かり、それに伴って痛みが生じる場合がある。これが、ビープ音や点滅表示器でタイミング良くモータの切迫した停止と空のバッテリをユーザに知らせることを企図した理由である。
【発明の概要】
【０００４】
本発明は、振動型電気モータまたはリニア・モータにより駆動可能な小型バッテリ作動式電気装置を開示する目的に基づき、ユーザにとって簡単に認識される充電状態の表示器を特徴付ける。
【０００５】
この目的は、一次バッテリまたは二次バッテリと、バッテリの充電状態を確定する為の回路とを含む小型電気装置で達成され、小型電気装置は、振動型電気モータまたはリニア・モータにより駆動され、上記モータは電気回路によりパルス幅変調制御信号で動かされ、制御回路は、一定充電状態が達成または充電がその状態以下に落ちるとき、モータのノイズを変える。バッテリの充電状態が装置の作動中に閾値以下に落ちる場合、振動型電気モータまたはリニア・モータは、そのモータのノイズが同一状況下の直流モータに類似して変わる方式で、制御回路により動かされるのが好ましい。そのため、モータのノイズの変化は、他のバッテリ作動式電気装置からも知られたユーザにとって聴覚の充電状態表示器を意味するので、モータのノイズの変化をユーザに直感的かつ正確にほぼ空のバッテリとして解釈させることができる。
【０００６】
振動型電気モータ又はリニア・モータの為の制御回路は、従来通りに実現されるが、バッテリの充電状態を確定する回路に接続されている。この回路は、バッテリの一定充電状態が上記状態に達する或いは上記状態以下に落ちるとき、対応した警告信号を制御回路に出す。制御回路は、通常、パルス幅変調制御信号を出すが、その周波数は、振動型電気モータまたはリニア・モータの機械的共振周波数に適合され、前記制御信号は、振動型電気モータまたはリニア・モータが共振を維持するように制御される。振動型電気モータまたはリニア・モータのモータのノイズを変える為、原則から外れる必要がある。それによって、振動型モータまたはリニア・モータは、最適な効率を達成する為に、常に、その共振周波数で作動される必要がある。制御回路は、充電状態を確定する為の回路により出される警告信号に基づく制御信号の制御をやめ、その代わり、振動型モータまたはリニア・モータを共振周波数以外の周波数で動かすので、上記モータは、制御信号により規定された周波数で振動するが、電流消費はもっと高くなる。そのため、- モータの共振特性に依存しつつ - リニア・モータは、共振範囲以外で動かされるときには、最早、実用的に振動振幅を持たないことに留意されたい。しかしながら、主として有効な電磁力のため、変えられたモータのノイズは、まだ知覚することができる。ＥＰ０７１２００７Ｂ１における直流モータの為に説明されているような緩やかな速度変化は、共振様式で作動されるだけの振動型電気モータやリニア・モータで可能ではない。なぜなら、振動型電気モータやリニア・モータは、共振周波数以外では効率が悪く、−電流消費が高い−顕著な振幅で振動を実施することは、最早、エキサイトすることではないからである。パルス幅変調信号のパルス・デューティ・ファクタの変化は、振動型電気モータまたはリニア・モータにおいて単に振動振幅の変化になるであろう。しかしながら、モータは、共振周波数で振動し続けるので、ノイズ変化は何も生じないであろう。共振範囲以外では電流消費が大きいため、既に空に近いバッテリの電圧が完全に切れることを防止するために、周波数を変えるだけでなくパルス幅変調信号のパルス・デューティ・ファクタを短縮することに利点がある。さらに、モータのノイズの音量も、この方法で低減されるので、ユーザは、従来通り、モータのノイズ音量の低減をモータの切迫した停止の為の表示として解釈する。
【０００７】
バッテリの充電状態は、例えば、バッテリの電圧を測定することにより、従来通り、検出することができる。バッテリの電圧の為の閾値を定めることは好ましいが、この閾値は、充電状態に対応しており、この閾値で、まだ小型電気装置は数分間の間は作動可能である。これにより、制御回路が制御信号を変えるまで、更に／或いは、モータのノイズの振幅及び／又は周波数が低減されるまで、すなわち、振動型電気モータおよびリニア・モータが最終的に停止する程度まで、少なくとも小型電気装置は動作し続けることができることを確実にする。制御回路は、５秒から３０秒の間、好ましくは１０秒から２０秒の間の時間だけモータのノイズを変えることが好ましい。これにより、ユーザには小型電気装置の使用を停止するのに十分な時間が提供される。電気ヘア・クリッパまたは電気カミソリの場合、これにより、ユーザの髪が停止中の切断ツールに引っ掛かり、それに伴う痛みが生じることを防止できる。
【図面の簡単な説明】
【０００８】
【図１】図１は、本発明の一実施形態を示す図である。
【発明の詳細な説明】
【０００９】
以下、図１に例示された一つの実施形態を参照して、本発明を説明する。
【００１０】
図１は、バッテリの充電状態を確定する為の回路が、バッテリの充電状態の為の閾値が達成されたか上記閾値以下に充電が落ちたことを確定した後、バッテリ作動式小型電気装置の電子制御装置により生成されるパルスによる制御信号を示す。この制御信号は、パルス・パターンを有し、その周波数は、１０Ｈｚの刻み幅で２００Ｈｚの値から時間に対して低減される。そのパルス幅は、同時に、５％の刻み幅で４５％から短縮される。周波数及び／又はパルス幅も自然に他の刻み幅で、または連続的に変えてもよい。周波数および／またはパルス幅がゼロまたはゼロ近くまで短縮されるまで約５秒から３０秒、好ましくは１０秒から２０秒かかるように、変化率または刻み幅が選択されることが好ましい。
【００１１】
図１によると、振動型電気モータまたはリニア・モータが共振方式（周波数２００Ｈｚ、パルス幅４５％）で作動されていた制御信号のパルス・デューティ・ファクタ及び周波数は、バッテリが空に近いことが検出された後、連続して短縮されている。この短縮は、必要であれば、振動型電気モータまたはリニア・モータが停止するまで（例えば、制御信号のパルス・デューティ・ファクタ及び／又は周波数がゼロに達するまで）続く。前述したように、制御信号の周波数の低減は、共振範囲以外での振動型電気モータまたはリニア・モータの作動になり、振動の振幅は、著しく劣化された効率の為に急速にブレイクダウンする。同時に、モータは、効率的な電磁力の為に低下中の周波数のノイズを生成し、ユーザは、弱いバッテリで作動される直流モータから低下中の周波数のノイズに慣れている。パルス幅の同時短縮は、単に、共振周波数以外で動作される振動型電気モータまたはリニア・モータの低減電力を導くだけであるが、モータのノイズ変化を導くものではない。
【図１】
2010500858.tif 000003
【国際調査報告】
2010500858.tif 000004
2010500858.tif 000005
2010500858.tif 000006
2010500858.tif 000007
2010500858.tif 000008
2010500858.tif 000009